(57)【要約】【課題】本発明は、フレキシブル配線基板とコネクタの電気的な接続信頼性を高めることを目的とする。【解決手段】液晶表示装置は、第１コネクタ４０及び第２コネクタ４６に差し込まれた第３フレキシブル配線基板４８を有する。フレーム１８は、液晶表示パネル１０の周囲に、液晶表示パネル１０の表示面１２が向く方向とは交差する方向を向くとともに液晶表示パネル１０の縁に沿った方向に延びる側端面２２を有する。第１回路基板３６及び第２回路基板４２は、側端面２２上に側端面２２の延びる方向に並んで配置されている。第１コネクタ４０及び第２コネクタ４６は、それぞれ、側端面２２と平行であって同一の方向を差し込み口が向くように配置されている。側端面２２は、第３フレキシブル配線基板４８の、第１コネクタ４０及び第２コネクタ４６とは反対側の縁に対向する突起２４を有する。【選択図】図４
2011075599.tif 000002
【特許請求の範囲】
【請求項１】
液晶表示パネルと、
第１回路基板と、
第２回路基板と、
前記液晶表示パネルと前記第１回路基板を電気的に接続する第１フレキシブル配線基板と、
前記液晶表示パネルと前記第２回路基板を電気的に接続する第２フレキシブル配線基板と、
前記第１回路基板に搭載された第１コネクタと、
前記第２回路基板に搭載された第２コネクタと、
前記第１コネクタ及び前記第２コネクタに差し込まれて前記第１回路基板と前記第２配線を電気的に接続する第３フレキシブル配線基板と、
前記液晶表示パネルを支持するフレームと、
を有し、
前記フレームは、前記液晶表示パネルの周囲に、前記液晶表示パネルの表示面が向く方向とは交差する方向を向くとともに前記液晶表示パネルの縁に沿った方向に延びる側端面を有し、
前記第１回路基板及び前記第２回路基板は、前記側端面上に前記側端面の延びる方向に並んで配置され、
前記第１コネクタ及び前記第２コネクタは、それぞれ、前記側端面と平行であって同一の方向を差し込み口が向くように配置され、
前記側端面は、前記第３フレキシブル配線基板の、前記第１コネクタ及び前記第２コネクタとは反対側の縁に対向する突起を有することを特徴とする液晶表示装置。
【請求項２】
請求項１に記載された液晶表示装置において、
前記第１コネクタは、前記第１回路基板の、前記突起とは反対側の端部に配置され、
前記第２コネクタは、前記第２回路基板の、前記突起とは反対側の端部に配置されていることを特徴とする液晶表示装置。
【請求項３】
請求項１又は２に記載された液晶表示装置において、
前記第１回路基板、前記第２回路基板、前記第１コネクタ、前記第２コネクタ、前記第１フレキシブル配線基板、前記第２フレキシブル配線基板及び前記第３フレキシブル配線基板を覆う、金属からなるカバーと、
前記第３フレキシブル配線基板と対向するように前記カバーに設けられた電気的に絶縁性を有する弾性体と、
をさらに有することを特徴とする液晶表示装置。
【発明の詳細な説明】
【技術分野】
【０００１】
本発明は、液晶表示装置に関する。
【背景技術】
【０００２】
液晶表示パネルには、液晶表示パネルに映像信号を供給するドレインドライバが搭載されたＣＯＦ（Chip On Film）が複数接続され、このＣＯＦには、別途搭載される制御装置基板（Ｔ−ＣＯＮ）と接続するための中継基板となる回路基板ＰＣＢ（Printed Circuit Board）が接続される。この回路基板は、テレビ用などの大型の液晶表示パネルにおいては、複数に分割する構造が知られている。
【０００３】
近年、液晶表示パネルモジュールとテレビセットモジュールの設計上の連携が重要視されている。このため、上記制御装置基板の配置位置を液晶表示パネル端部に配置し、制御装置基板と回路基板の一つとを接続し、回路基板間には、中継用のフレキシブル配線基板を設ける構成となっている（特許文献１）。
【先行技術文献】
【特許文献】
【０００４】
【特許文献１】特開２００７−１３４３５７号公報
【発明の概要】
【発明が解決しようとする課題】
【０００５】
従来、フレキシブル配線基板はコネクタに差し込まれるだけであったため、両者の電気的な接続信頼性を高めるにはコネクタの保持強度を上げなければならず、そうするとフレキシブル配線基板をコネクタに差し込みにくくなる。
【０００６】
また、フレキシブル配線基板上は、金属製のカバーで覆われる。回路基板上に配置されたフレキシブル配線基板は、この金属製のカバーにより近い位置に配置されることになる。このため、フレキシブル配線基板と金属製のカバーとの電気的絶縁を考慮する必要がある。
【０００７】
本発明は、フレキシブル配線基板とコネクタの電気的な接続信頼性を高めることを目的とする。
【課題を解決するための手段】
【０００８】
（１）本発明に係る液晶表示装置は、液晶表示パネルと、第１回路基板と、第２回路基板と、前記液晶表示パネルと前記第１回路基板を電気的に接続する第１フレキシブル配線基板と、前記液晶表示パネルと前記第２回路基板を電気的に接続する第２フレキシブル配線基板と、前記第１回路基板に搭載された第１コネクタと、前記第２回路基板に搭載された第２コネクタと、前記第１コネクタ及び前記第２コネクタに差し込まれて前記第１回路基板と前記第２配線を電気的に接続する第３フレキシブル配線基板と、前記液晶表示パネルを支持するフレームと、を有し、前記フレームは、前記液晶表示パネルの周囲に、前記液晶表示パネルの表示面が向く方向とは交差する方向を向くとともに前記液晶表示パネルの縁に沿った方向に延びる側端面を有し、前記第１回路基板及び前記第２回路基板は、前記側端面上に前記側端面の延びる方向に並んで配置され、前記第１コネクタ及び前記第２コネクタは、それぞれ、前記側端面と平行であって同一の方向を差し込み口が向くように配置され、前記側端面は、前記第３フレキシブル配線基板の、前記第１コネクタ及び前記第２コネクタとは反対側の縁に対向する突起を有することを特徴とする。本発明によれば、フレームの側端面の突起によって第３フレキシブル配線基板の抜け止めが図られるので、第３フレキシブル配線基板と第１コネクタ及び第２コネクタとの電気的な接続信頼性を高めることができる。
【０００９】
（２）（１）に記載された液晶表示装置において、前記第１コネクタは、前記第１回路基板の、前記突起とは反対側の端部に配置され、前記第２コネクタは、前記第２回路基板の、前記突起とは反対側の端部に配置されていることを特徴としてもよい。
【００１０】
（３）（１）又は（２）に記載された液晶表示装置において、前記第１回路基板、前記第２回路基板、前記第１コネクタ、前記第２コネクタ、前記第１フレキシブル配線基板、前記第２フレキシブル配線基板及び前記第３フレキシブル配線基板を覆う、金属からなるカバーと、前記第３フレキシブル配線基板と対向するように前記カバーに設けられた電気的に絶縁性を有する弾性体と、をさらに有することを特徴としてもよい。
【図面の簡単な説明】
【００１１】
【図１】本発明の実施形態に係る液晶表示装置を示す斜視図である。
【図２】図１に示す液晶表示装置のII−II線断面の拡大図である。
【図３】図１に示す液晶表示装置からカバーを取り外した構造を示す図である。
【図４】図３に示す構造の一点鎖線で囲んだ部分の拡大図である。
【発明を実施するための形態】
【００１２】
以下、本発明の実施形態について、図面を参照して説明する。図１は、本発明の実施形態に係る液晶表示装置を示す斜視図である。図２は、図１に示す液晶表示装置のII−II線断面の拡大図である。
【００１３】
液晶表示装置は、液晶表示パネル１０を有する。液晶表示パネル１０の駆動方式は、ＩＰＳ（In Plane Switching）方式、ＴＮ（Twisted Nematic）方式又はＶＡ（Vertical Alignment）方式などいずれの方式であってもよく、方式に応じた電極及び配線が形成される。
【００１４】
液晶表示パネル１０は、表示面１２（上面）側の周縁部に上カバー１４の一部が対向することで脱落の防止が図られている。上カバー１４は、図２に示すように断面Ｌ字状の棒材が矩形に組まれて構成されている。上カバー１４は金属から構成されている。上カバー１４には、液晶表示パネル１０と対向するように第１弾性体１６が設けられている。第１弾性体１６が介在することで、液晶表示パネル１０と上カバー１４の直接の接触が防止される。
【００１５】
液晶表示パネル１０の表示面１２とは反対側（背面側）の周縁部にはフレーム１８の一部が対向する。フレーム１８には、液晶表示パネル１０と対向するように第２弾性体２０が設けられている。第２弾性体２０が介在することで、液晶表示パネル１０とフレーム１８の直接の接触が防止される。第１弾性体１６と第２弾性体２０の間隔は、液晶表示パネル１０の厚みよりも大きくなっている。したがって、液晶表示パネル１０は、第１弾性体１６及び第２弾性体２０によって固定されるのではなく、表示面１２に垂直な方向に移動が可能である。
【００１６】
液晶表示パネル１０は、フレーム１８によって支持されている。フレーム１８は、液晶表示パネル１０の周囲に側端面２２を有する。側端面２２は、液晶表示パネル１０の外側の方向を向く。側端面２２は、液晶表示パネル１０の表示面１２が向く方向とは交差（例えば直交）する方向を向く。側端面２２は、液晶表示パネル１０の縁に沿った方向に延びる。フレーム１８の側端面２２は突起２４を有する。
【００１７】
液晶表示パネル１０と重なるように、液晶表示パネル１０の背面側に、拡散シート２６及び拡散板２８が配置されている。また、拡散板２８の液晶表示パネル１０とは反対側に、反射フィルム３０が配置されている。
【００１８】
液晶表示装置は、金属からなる下カバー３２を有する。下カバー３２は、液晶表示パネル１０、拡散シート２６、拡散板２８及び反射フィルム３０を背面側で覆うようになっている。下カバー３２の周端部にはフレーム１８が載せられ、上カバー１４と下カバー３２でフレーム１８が挟み込まれている。下カバー３２の周端部とフレーム１８の間に、拡散シート２６、拡散板２８及び反射フィルム３０の周端部が配置されている。
【００１９】
液晶表示装置は、図２に示すように、蛍光管３４（例えば冷陰極管）を有する。蛍光管３４は、内部にガス（例えばネオン−アルゴン（Ｎｅ−Ａｒ）ガスなどの不活性ガス）及び水銀が封入されている。
【００２０】
図３は、図１に示す液晶表示装置から上カバー１４を取り外した構造を示す図である。図４は、図３に示す構造の一点鎖線で囲んだ部分の拡大図である。
【００２１】
液晶表示装置は、第１回路基板３６を有する。第１回路基板３６は、フレーム１８の側端面２２上に配置されている。液晶表示パネル１０と第１回路基板３６は、少なくとも１つ（図３の例では３つ）の第１フレキシブル配線基板３８によって電気的に接続されている。第１フレキシブル配線基板３８には、液晶表示パネル１０に映像信号を供給するドレインドライバが搭載されている。第１回路基板３６は、図示しない制御回路基板（T-CON基板）と第１フレキシブル配線基板３８を中継する配線基板として機能する。
【００２２】
第１回路基板３６には、第１コネクタ４０が搭載されている。第１コネクタ４０は、第１回路基板３６の、フレーム１８の突起２４とは反対側の端部に配置されている。詳しくは、側端面２２の液晶表示パネル１０側の端部に突起２４が形成され、第１回路基板３６の液晶表示パネル１０とは反対側の端部に第１コネクタ４０が配置されている。
【００２３】
液晶表示装置は、第２回路基板４２を有する。第２回路基板４２は、フレーム１８の側端面２２上に配置されている。液晶表示パネル１０と第２回路基板４２は、少なくとも１つ（図３の例では３つ）の第２フレキシブル配線基板４４によって電気的に接続されている。第２フレキシブル配線基板４４には、液晶表示パネル１０に映像信号を供給するドレインドライバが搭載されている。第２回路基板４２は、図示しない制御回路基板（T-CON基板）と第１フレキシブル配線基板３８を中継する配線基板として機能する。
【００２４】
第２回路基板４２には、第２コネクタ４６が搭載されている。また、図示はしていないが、前記制御回路基板と接続するためのコネクタも第２回路基板４２上に搭載されている。第２コネクタ４６は、第２回路基板４２の、フレーム１８の突起２４とは反対側の端部に配置されている。詳しくは、側端面２２の液晶表示パネル１０側の端部に突起２４が形成され、第２回路基板４２の液晶表示パネル１０とは反対側の端部に第２コネクタ４６が配置されている。
【００２５】
第１回路基板３６及び第２回路基板４２は、フレーム１８の側端面２２の延びる方向に並んで配置されている。ただし、第１回路基板３６及び第２回路基板４２は、間隔をあけて配置されている。第１回路基板３６と第２回路基板４２の間に、フレーム１８の突起２４が形成されている。第１コネクタ４０及び第２コネクタ４６は、それぞれ、側端面２２と平行な方向を向いている。また、第１コネクタ４０及び第２コネクタ４６は、同一の方向を差し込み口が向くように配置されている。
【００２６】
第１コネクタ４０及び第２コネクタ４６には、Ｕ字状の第３フレキシブル配線基板４８が差し込まれている。これにより、第３フレキシブル配線基板４８は、第１回路基板３６と第２回路基板４２を電気的に接続する。第１フレキシブル配線基板３８と図示しない制御回路基板は、第１回路基板３６、第３フレキシブル配線基板４８、第２回路基板４２を介して、電気的に接続されることになる。
【００２７】
図２には第３フレキシブル配線基板４８の断面が現れている。第３フレキシブル配線基板４８は、第１回路基板３６及び第２回路基板４２と平行に配置される。フレーム１８の側端面２２にある突起２４は、第３フレキシブル配線基板４８の、第１コネクタ４０及び第２コネクタ４６とは反対側の縁に対向する（図２及び図４参照）。
【００２８】
本実施形態によれば、フレーム１８の側端面２２の突起２４によって第３フレキシブル配線基板４８の抜け止めが図られるので、第３フレキシブル配線基板４８と第１コネクタ４０及び第２コネクタ４６との電気的な接続信頼性を高めることができる。また、図２に示すように、液晶表示装置は、金属からなる上カバー１４を有する。上カバー１４と第３フレキシブル配線基板４８間には、フレーム１８の側端面２２の突起２４が位置するため、当該突起２４は、上カバー１４と第３フレキシブル配線基板４８間の電気的ショートの防止にも役立つ。
【００２９】
また、上カバー１４は、第１回路基板３６、第２回路基板４２、第１コネクタ４０、第２コネクタ４６、第１フレキシブル配線基板３８、第２フレキシブル配線基板４４及び第３フレキシブル配線基板４８を覆う。上カバー１４には、第３フレキシブル配線基板４８と対向するように、電気的に絶縁性を有する弾性体５０（例えばゴム）が設けられている。弾性体５０によって、金属からなる上カバー１４と第３フレキシブル配線基板４８の電気的ショートを防止することができる。また、弾性体５０は、上カバー１４よりも柔らかい材料からなる。そのため、弾性体５０が第３フレキシブル配線基板４８に接触しても、第３フレキシブル配線基板４８に傷が付くことを避けることができる。
【００３０】
本発明は、上述した実施形態に限定されるものではなく種々の変形が可能である。例えば、実施形態で説明した構成は、実質的に同一の構成、同一の作用効果を奏する構成又は同一の目的を達成することができる構成で置き換えることができる。
【符号の説明】
【００３１】
１０  液晶表示パネル、１２  表示面、１４  上カバー、１６  第１弾性体、１８  フレーム、２０  第２弾性体、２２  側端面、２４  突起、２６  拡散シート、２８  拡散板、３０  反射フィルム、３２  下カバー、３４  蛍光管、３６  第１回路基板、３８  第１フレキシブル配線基板、４０  第１コネクタ、４２  第２回路基板、４４  第２フレキシブル配線基板、４６  第２コネクタ、４８  第３フレキシブル配線基板、５０  弾性体。
【図１】
2011075599.tif 000003
【図２】
2011075599.tif 000004
【図３】
2011075599.tif 000005
【図４】
2011075599.tif 000006